(57)【要約】  本発明は、触媒担体ユニットおよび触媒層を含む、電解装置システムまたは燃料電池システム用の触媒装置に関し、触媒層は、金属、非金属および／または半金属のドーピングを含む炭素マトリックスを有することを特徴とする。【特許請求の範囲】
【請求項１】
電解装置システムまたは燃料電池システム用の触媒装置（１）であって、触媒担体ユニット（２）および触媒層（３）を含み、前記触媒層（３）が、金属、非金属および／または半金属のドーピング（４）を含む炭素マトリックス（５）を有することを特徴とする、触媒装置（１）。
【請求項２】
前記触媒担体ユニット（２）がステンレス鋼を有することを特徴とする、請求項１に記載の触媒装置（１）。
【請求項３】
前記触媒担体ユニット（２）が、第４〜第６の周期の１つ以上の遷移金属を含む発泡体またはメッシュを有することを特徴とする、請求項１または２に記載の触媒装置（１）。
【請求項４】
前記ドーピング（４）が、１つ以上の貴金属、特にルテニウム：Ｒｕ、イリジウム：Ｉｒ、および／または白金：Ｐｔを有することを特徴とする、請求項１から３のいずれか一項に記載の触媒装置（１）。
【請求項５】
前記ドーピング（４）が、前記第４〜第６の周期の１つ以上の遷移金属、特にニッケル：Ｎｉ、マンガン：Ｍｎ、コバルト：Ｃｏ、鉄：Ｆｅ、および／またはモリブデン：Ｍｏを有することを特徴とする、請求項１から４のいずれか一項に記載の触媒装置（１）。
【請求項６】
前記ドーピング（４）が、１つ以上のさらなる金属、特にアルミニウム：Ａｌ、および／またはスズ：Ｓｎを有することを特徴とする、請求項１から５のいずれか一項に記載の触媒装置（１）。
【請求項７】
前記ドーピング（４）が、１つ以上の非金属および／または１つ以上の半金属、特に硫黄：Ｓ、リン：Ｐ、窒素：Ｎ、酸素：Ｏ、および／またはホウ素：Ｂを有することを特徴とする、請求項１から６のいずれか一項に記載の触媒装置（１）。
【請求項８】
水分解および／または過酸化水素発生用の電解装置システムであって、前記電解装置システムが請求項１から７いずれか一項に記載の触媒装置（１）を含むことを特徴とする、電解装置システム。
【請求項９】
前記酸素還元反応用の燃料電池システムであって、前記燃料電池システムが請求項１から７のいずれか一項に記載の触媒装置（１）を備えることを特徴とする、燃料電池システム。
【請求項１０】
水分解および／または過酸化水素発生用の電解装置システムの一部として、または前記酸素還元反応用の燃料電池システムの一部としての、請求項１から７のいずれか一項に記載の触媒装置（１）の使用。
【請求項１１】
前記触媒層（３）が、物理蒸着方法または薬液塗布方法を用いて前記触媒担体ユニット（２）上に堆積されることを特徴とする、請求項１から７のいずれか一項に記載の触媒装置（１）を製造する方法。
【発明の詳細な説明】
【技術分野】
【０００１】
本発明は、触媒担体ユニットおよび触媒層を含む、電解装置システムまたは燃料電池システム用の触媒装置に関する。本発明はまた、水分解および／または過酸化水素発生用の電解装置システム、ならびに酸素還元反応用の燃料電池システムに関する。さらに、本発明は、水分解および／または過酸化水素発生用の電解装置システムの一部として、または酸素還元反応用の燃料電池システムの一部としての触媒装置の使用に関する。本発明はさらに、触媒装置を製造する方法に関する。
【背景技術】
【０００２】
このような触媒装置は既知であり、電解装置または燃料電池の電極として使用されている。
【０００３】
電解装置では、とりわけ、チタンまたは炭素に担持された貴金属、例えばＩｒ、Ｒｕ、またはＰｔが使用される。さらに、Ｋｊａｒｔａｎｓｄｏｅｔｔｉｒ  ｅｔ  ａｌ．，Ｉｎｔｅｒｎａｔｉｏｎａｌ  Ｊｏｕｒｎａｌ  ｏｆ  Ｈｙｄｒｏｇｅｎ  Ｅｎｅｒｇｙ，３８（２０１３），９２２１−８２３１は、ニッケル、ステンレス鋼、またはニッケル基合金でコーティングされたステンレス鋼の電極としての使用を開示している。炭素に担持された貴金属触媒は、燃料電池でよく使用される。
【発明の概要】
【発明が解決しようとする課題】
【０００４】
しかしながら、高価な材料、特に貴金属の使用により、そのような触媒装置は高価であることが多い。電解装置と燃料電池の長期安定性および効率もまた、使用される触媒装置によって主に決定される。したがって、これらの分野でのさらなる開発は、コストを削減し、効率を高めることができる可能性がある。
【課題を解決するための手段】
【０００５】
この背景に対して、材料コストを低減して製造でき、および／または耐用年数が長い電解装置システムまたは燃料電池システム用の耐食性触媒装置を提供するという目的が生じる。
【０００６】
この目的は、触媒担体ユニットおよび触媒層を含む、電解装置システムまたは燃料電池システム用の触媒装置によって達成され、触媒層は、金属、非金属および／または半金属のドーピングを含む炭素マトリックスを有することを特徴とする。
【０００７】
本発明によれば、特定の貴金属などの大量の高価な材料を省くことができるので、比較的経済的に製造することができる、有利な耐食性触媒コンバータ装置を提供することが可能である。同時に、特に本発明による触媒層の使用により、改善された長期安定性を達成することができる。特に、触媒層は、反応および／または逆反応（例えば、水の酸化）を加速し、反応速度（すなわち、速度論の変化）を増加させる機能を有する。
【０００８】
特に、ドーピングは、触媒層または炭素マトリックスの０．１原子％〜２０原子％を構成する（または触媒層または炭素マトリックス中にそのような比率を有する）と考えられる。
【０００９】
好ましくは、触媒層がドープされた炭素マトリックスからなり、さらなる（より多い）量のさらなる（高価な）材料を含まないことが考えられる。
【００１０】
炭素マトリックスは、例えば、非晶質炭素から形成することができる。あるいは、炭素マトリックスは、黒鉛マトリックスの形態で存在することができる。例えば、Ｔｒｉｏｎｄｕｒ（登録商標）コーティングは触媒層と見なすことができる。
【００１１】
本発明の一実施形態によれば、触媒担体ユニットは、例えば、触媒層への接着を改善するために、中間層を含むことが考えられる。
【００１２】
本発明によれば、触媒層がいくつかの部分層を含むことが考えられる。例えば、それぞれが炭素マトリックスに基づくいくつかの部分層を上下に配置して、異なるドーピングまたはドーピング元素を有することができる。あるいは、部分層が同じドーピング特性を有することが考えられる。
【００１３】
本発明によれば、触媒層は、触媒装置のカバー層、すなわち外層であることが好ましい。したがって、触媒層の触媒特性および耐食性が特に有利な効果を有することが可能である。
【００１４】
有利な実施形態によれば、触媒担体ユニットはステンレス鋼を有するように提供される。特に、触媒担体ユニットは、少なくとも基本的に鋼、特にステンレス鋼からなることが考えられる。
【００１５】
本発明の一実施形態は、触媒担体ユニットが、第４〜第６の周期の１つ以上の遷移金属を含む発泡体またはメッシュを有するように提供する。触媒担体ユニットが、第４〜第６の周期の１つ以上の遷移金属から構成される発泡体またはメッシュからなることが特に考えられる。
【００１６】
本発明の一実施形態によれば、ドーピングは、１つ以上の貴金属、特にルテニウム：Ｒｕ、イリジウム：Ｉｒ、および／または白金：Ｐｔを有するように提供される。特に、貴金属（単数または複数）が触媒層または炭素マトリックスの０．１重量％〜２重量％を構成する（または触媒層または炭素マトリックス中にそのような比率を有する）ことが考えられる。ドーピングがルテニウムおよび／またはイリジウムを有することが特に好ましい。
【００１７】
一実施形態によれば、ドーピングは、好ましくは、第４〜第６の周期の１つ以上の遷移金属、特にニッケル：Ｎｉ、マンガン：Ｍｎ、コバルト：Ｃｏ、鉄：Ｆｅ、および／またはモリブデン：Ｍｏを有することが考えられる。第４から第６の周期の遷移金属は、触媒層または炭素マトリックスの０．１原子％〜５原子％を構成する（または触媒層または炭素マトリックス中にそのような比率を有する）と考えられる。ドーピングはニッケルおよび／またはマンガンを有することが特に好ましい。
【００１８】
本発明の一実施形態は、ドーピングが、１つ以上のさらなる金属、特にアルミニウム：Ａｌ、および／またはスズ：Ｓｎを有するように提供する。特に、さらなる金属（単数または複数）は、触媒層または炭素マトリックスの０．１原子％〜３原子％を構成する（または触媒層または炭素マトリックス中にそのような比率を有する）と考えられる。
【００１９】
本発明の一実施形態によれば、ドーピングは、１つ以上の非金属および／または１つ以上の半金属、特に硫黄：Ｓ、リン：Ｐ、窒素：Ｎ、酸素：Ｏ、および／またはホウ素：Ｂを有するように提供される。特に、半金属（単数または複数）および／または非金属（単数または複数）は、触媒層または炭素マトリックスの０．１原子％〜８原子％を構成する（または触媒層または炭素マトリックス中にそのような比率を有する）と考えられる。ドーピングが窒素および／または酸素を有することが特に好ましい。
【００２０】
本発明の別の主題は、水分解および／または過酸化水素発生用の電解装置システムであり、電解装置システムは、本発明のいずれか一実施形態による触媒装置を備えることを特徴とする。
【００２１】
これにより、本発明によれば、長期安定性が向上した電解装置システムを提供すると同時に、貴金属などの高価な材料成分の使用を削減することが有利に可能である。したがって、酸素発生反応および水素発生反応（ＯＤＲおよびＨＤＲ）ならびに過酸化水素発生反応を特に効率的に行うことができる。
【００２２】
本発明の別の主題は、酸素還元反応用の燃料電池システムであり、燃料電池システムは、本発明のいずれか一実施形態による触媒装置を備えることを特徴とする。
【００２３】
これにより、長期安定性が向上した燃料電池システムを提供すると同時に、貴金属などの高価な材料成分の使用を削減し、酸素還元反応（ＯＲＲ）を効率的に実施できるという利点がある。
【００２４】
上記の目的を達成するために、本発明のいずれか一実施形態による触媒装置の使用が、水分解および／または過酸化水素発生用の電解装置システムの一部として、または酸素還元反応用の燃料電池システムの一部として提案される。
【００２５】
さらに、上記の目的を達成するために、本発明のいずれか一実施形態による触媒装置を製造する方法が提案され、触媒層は、物理的蒸着方法または薬液塗布方法を用いて触媒担体ユニット上に堆積されることを特徴とする。
【００２６】
さらに、触媒装置に関連して説明された有利な構成、実施形態および特徴は、電解装置システム、燃料電池システム、触媒装置の使用および触媒装置を製造する方法において、単独でまたは組み合わせて使用することもできる。
本発明のさらなる詳細および利点は、図面に示される例示的な実施形態を参照して以下に説明される。
【図面の簡単な説明】
【００２７】
【図１】電解装置システムまたは燃料電池システム用の本発明による触媒装置の例示的な実施形態を概略図で示す。
【発明を実施するための形態】
【００２８】
図１は、電解装置システムまたは燃料電池システム用の本発明による触媒装置１の例示的な実施形態を概略図で示す。触媒装置１は、触媒担体ユニット２および触媒層３を含む。触媒担体ユニット２は、例えば、ステンレス鋼から、または第４〜第６の周期の１つ以上の遷移金属を含む発泡体もしくはメッシュからなることができる。触媒層３は、触媒担体ユニット２の上方に配置されている。これは、典型的には、触媒装置１の外側部分を表す、すなわち、それは、触媒担体ユニット２から反対に面している側に自立しており、したがって、流体と接触させることができる。図示された触媒層３は、ドーピング４を有する炭素マトリックス５から基本的になる。触媒層３がいくつかの部分層を含む、すなわち、層システムとして設計されることが考えられる。ドーピング４は、金属、半金属、および／または非金属を含むことができる。例えば、ドーピング４は、ルテニウム、イリジウム、および／または白金などの１つ以上の貴金属を有することができる。代替的または追加的に、ドーピングは、ニッケル、マンガン、コバルト、鉄、および／またはモリブデンなどの第４〜第６の周期の１つ以上の遷移金属を有することができる。代替的または追加的に、ドーピングは、硫黄、リン、窒素、酸素、および／またはホウ素などの１つ以上の非金属および／または１つ以上の半金属を有することができる。この場合も、代替的または追加的に、ドーピングは、アルミニウムおよび／またはスズなどの１つ以上のさらなる金属を含むことができる。
【００２９】
触媒担体ユニット２は、触媒層３（図示せず）に隣接する１つ以上の中間層を含むことが考えられる。
【００３０】
触媒担体ユニット２および触媒層３を含む、電解装置システムまたは燃料電池システム用の触媒装置１の例示的実施形態が説明され、触媒層３は、金属、非金属および／または半金属のドーピング４を含む炭素マトリックス５を有する。
【符号の説明】
【００３１】
１  触媒装置
２  触媒担体ユニット
３  触媒層
４  ドーピング
５  炭素マトリックス
【図１】
2021531401.tif 000002
【国際調査報告】
2021531401.tif 000003
2021531401.tif 000004
2021531401.tif 000005
2021531401.tif 000006